(57)【要約】  【課題】  電話回線に接続されている一般の電話機に着信があったときに、ＡＶ機器に対して、着信を告知すると共に音声をミュートでき、また、電話中はＡＶ機器を停止させることができる電話対応制御装置を提供する。  【解決手段】  電話がかかってくると、電話機２の着信信号は着信検出手段４１により検出され、このときＡＶ機器８のオーディオ処理回路６に対して音声ミュート処理が音声ミュート処理手段４２により行われる。また、着信信号を検出したとき、電話がかかっていることを知らせるメッセージがスーパーインポーズ処理手段４３によりスーパーインポーズでＡＶ機器８の表示部７１に表示される。そして、電話を取ると、電話機２がオフフック状態となり、このオフフック状態がオフフック検出手段４４により検出され、且つプレイキーが押下されていないとき、ＡＶ機器８はプレイポーズ処理手段４５によりプレイポーズ処理される。【選択図】      図１
2006067023.tif 000002
【特許請求の範囲】
【請求項１】
電話回線に接続され電話機の状態を検出してＡＶ機器のオーディオ信号およびビデオ信
号を制御する電話対応制御装置であって、前記電話機の着信信号を検出する着信検出手段
と、この着信検出手段により着信信号を検出したとき前記ＡＶ機器に対して音声ミュート
処理を行う音声ミュート処理手段と、前記着信検出手段により着信信号を検出したとき電
話がかかっていることを知らせるメッセージをスーパーインポーズで前記ＡＶ機器の表示
部に表示させるスーパーインポーズ処理手段と、前記電話機がオフフック状態であるか否
かを判定するオフフック検出手段と、このオフフック検出手段により前記オフフック状態
であることを検出して且つプレイキーが押下されていないとき前記ＡＶ機器をプレイポー
ズ処理するプレイポーズ処理手段とを備えたことを特徴とする電話対応制御装置。
【請求項２】
電話回線に接続され電話機の状態を検出してＡＶ機器のオーディオ信号およびビデオ信
号を制御する電話対応制御装置であって、前記電話機の着信信号を検出したとき前記ＡＶ
機器に対して音声ミュート処理を行うと共に、電話がかかっていることを知らせるメッセ
ージをスーパーインポーズで前記ＡＶ機器の表示部に表示させ、前記電話機がオフフック
状態になったとき前記ＡＶ機器をプレイポーズ処理を行う電話処理部を備えたことを特徴
とする電話対応制御装置。
【請求項３】
前記電話処理部は、前記電話機の着信信号を検出する着信検出手段と、この着信検出手
段により着信信号を検出したとき前記ＡＶ機器に対して音声ミュート処理を行う音声ミュ
ート処理手段と、前記着信検出手段により着信信号を検出したとき電話がかかっているこ
とを知らせるメッセージをスーパーインポーズで前記ＡＶ機器の表示部に表示させるスー
パーインポーズ処理手段と、前記電話機がオフフック状態であるか否かを判定するオフフ
ック検出手段と、このオフフック検出手段により前記オフフック状態であることを検出し
て且つプレイキーが押下されていないとき前記ＡＶ機器をプレイポーズ処理するプレイポ
ーズ処理手段とを備えたことを特徴とする請求項２に記載の電話対応制御装置。
【発明の詳細な説明】
【技術分野】
【０００１】
本発明は、電話回線に接続され電話機の状態を検出してＡＶ機器のオーディオ信号およ
びビデオ信号を制御する電話対応制御装置に関する。
【背景技術】
【０００２】
一般家庭などにおいては、例えば、リビングルームにテレビジョン受像機やＤＶＤプレ
イヤーなどのＡＶ機器が置かれ、また、このリビングルームに居るときに電話がかかって
来ても、直ぐに電話に出られるように電話機もリビングルームに置かれている場合が多い
。
【特許文献１】特開２０００−２７８６２８号公報
【特許文献２】実公平２−１３７１７８号公報
【特許文献３】特開２００２−２７１４２号公報
【特許文献４】特開２００２−１５８９４２号公報
【発明の開示】
【発明が解決しようとする課題】
【０００３】
ところで、テレビ放送の視聴中やＤＶＤプレイヤーの再生中に、電話がかかってきた場
合、テレビジョン受像機やＤＶＤプレイヤーがそのままの状態であれば、テレビ放送の音
声や再生の音声が電話をかけるものにとっては邪魔になり、電話の応対に支障を来たすこ
とも少なくない。
【０００４】
例えば、電話機がテレビジョン受像機やＤＶＤプレイヤーなどが置かれている部屋と同
じ部屋に置かれている場合や、相手の電話音声が小さい場合には、テレビジョン受像機や
ＤＶＤプレイヤーなどの音声により、相手の話し声が聞き取れず、結果的に相手に迷惑を
かけたり、あるいは大事な用件を聞き間違えてしまう場合がある。また、ＤＶＤプレイヤ
ーなどが再生動作している場合に、電話が入ってきて、電話の相手と会話しているときで
も、リモコンで停止させない限り、ＤＶＤプレイヤーなどの再生動作がそのまま行われて
いるので、電話中の再生箇所は画像がただ流れているだけの状態となる。通常、視聴者は
電話がかかると、ＤＶＤプレイヤーなどを停止させてから電話を取りに行く余裕がないこ
とが多いので、ＤＶＤプレイヤーなどはそのまま再生動作を続行することになる。
【０００５】
また、従来から知られているように電話機用のモジュラーポート（ジャック）付きのＡ
Ｖ機器があるが、このＡＶ機器は電話回線にモジュラーポートを介して接続され、電話機
能もサービスとして付加されていた。しかしながら、既存の電話機に対しては、前述した
ような処理を行うことができないので、使い勝手が悪った。
【０００６】
なお、特許文献１の従来技術は、電話機の着信を検出したとき、テレビジョン受像機の
音声の音量を低下させるものであり、電話機の着信を検出したとき、ＤＶＤプレイヤーな
どによる再生画像も停止させるようにしたものではない。特許文献２の従来技術は、テレ
ビの中に電話機能が含まれているものであり、個別に設けられた電話機に対する処理がで
きない。特許文献３の従来技術は、固定電話機や携帯電話機が着信した場合に、電化製品
を制御するものであり、本件でいう電話対応制御装置とは構成が異なる。特許文献４の従
来技術は、電話の着信音の登録が自動的に行え、着信音の登録後に電話がかかってくると
、本体の音声出力を消去または減音するようになっているが、電話機の着信を検出したと
き、ＤＶＤプレイヤーなどによる再生画像も停止させるようにしたものではない。
【０００７】
本発明は、上記のような課題を解決するためになされたもので、電話回線に接続されて
いる一般の電話機に着信があったときに、ＡＶ機器に対して、着信を告知すると共に音声
をミュートでき、また、電話中はＡＶ機器を停止させることができる電話対応制御装置を
提供することを目的とする。
【課題を解決するための手段】
【０００８】
上記目的を達成するために、請求項１の発明は、電話機の着信信号を検出する着信検出
手段と、この着信検出手段により着信信号を検出したとき前記ＡＶ機器に対して音声ミュ
ート処理を行う音声ミュート処理手段と、前記着信検出手段により着信信号を検出したと
き電話がかかっていることを知らせるメッセージをスーパーインポーズで前記ＡＶ機器の
表示部に表示させるスーパーインポーズ処理手段と、前記電話機がオフフック状態である
か否かを判定するオフフック検出手段と、このオフフック検出手段により前記オフフック
状態であることを検出して且つプレイキーが押下されていないとき前記ＡＶ機器をプレイ
ポーズ処理するプレイポーズ処理手段とを備えたことを特徴とする電話対応制御装置を提
供する。
【０００９】
この構成において、電話がかかってくると、電話機の着信信号は着信検出手段により検
出され、このときＡＶ機器に対して音声ミュート処理が音声ミュート処理手段により行わ
れる。また、着信信号を検出したとき、電話がかかっていることを知らせるメッセージが
スーパーインポーズ処理手段によりスーパーインポーズでＡＶ機器の表示部に表示される
。そして、電話を取ると、電話機がオフフック状態となり、このオフフック状態がオフフ
ック検出手段により検出され、且つプレイキーが押下されていないとき、ＡＶ機器はプレ
イポーズ処理手段によりプレイポーズ処理される。
【００１０】
この構成によれば、一般に電話回線に接続されている電話機に着信があったときに、Ａ
Ｖ機器に対してメッセージとして着信を告知することができると共に、ＡＶ機器の音声を
ミュートすることができ、また、電話中はＡＶ機器を停止させることができる。したがっ
て、ＡＶ機器により映画などを大音量で視聴中でも表示部の画面上の表示で電話の着信が
確認できると共に、音声をミュートすることができるので、電話が聞き取り易くなり、ま
た、その後の操作も簡単にリモコンで操作することが可能になる。また、電話中はＡＶ機
器を停止させるので、電話が終わってから続きを視聴することができ、ユーザにとっては
使い勝手が良くなる。
【００１１】
請求項２の発明は、電話機の着信信号を検出したときＡＶ機器に対して音声ミュート処
理を行うと共に、電話がかかっていることを知らせるメッセージをスーパーインポーズで
ＡＶ機器の表示部に表示させ、電話機がオフフック状態になったときＡＶ機器をプレイポ
ーズ処理を行う電話処理部を備えたことを特徴とする電話対応制御装置を提供する。
【００１２】
この構成において、電話がかかってくると、電話機の着信信号が検出され、このときＡ
Ｖ機器に対して音声ミュート処理が行われる。また、着信信号を検出したとき、電話がか
かっていることを知らせるメッセージがスーパーインポーズでＡＶ機器の表示部に表示さ
れる。そして、電話を取ると、電話機がオフフック状態となり、且つプレイキーが押下さ
れていないとき、ＡＶ機器はプレイポーズ処理される。
【００１３】
この構成によれば、一般に電話回線に接続されている電話機に着信があったときに、Ａ
Ｖ機器に対してメッセージとして着信を告知することができると共に、ＡＶ機器の音声を
ミュートすることができ、また、電話中はＡＶ機器を停止させることができる。したがっ
て、ＡＶ機器により映画などを大音量で視聴中でも表示部の画面上の表示で電話の着信が
確認できると共に、音声をミュートすることができるので、電話が聞き取り易くなり、ま
た、その後の操作も簡単にリモコンで操作することが可能になる。また、電話中はＡＶ機
器を停止させるので、電話が終わってから続きを視聴することができ、ユーザにとっては
使い勝手が良くなる。
【００１４】
請求項３の発明では、請求項２の発明において、電話処理部は、電話機の着信信号を検
出する着信検出手段と、この着信検出手段により着信信号を検出したときＡＶ機器に対し
て音声ミュート処理を行う音声ミュート処理手段と、着信検出手段により着信信号を検出
したとき電話がかかっていることを知らせるメッセージをスーパーインポーズでＡＶ機器
の表示部に表示させるスーパーインポーズ処理手段と、電話機がオフフック状態であるか
否かを判定するオフフック検出手段と、このオフフック検出手段によりオフフック状態で
あることを検出して且つプレイキーが押下されていないときＡＶ機器をプレイポーズ処理
するプレイポーズ処理手段とを備えたので、電話回線に接続されている一般の電話機に着
信があったときに、ＡＶ機器に対してメッセージとして着信を告知することができると共
に、ＡＶ機器の音声をミュートすることができ、また、電話中はＡＶ機器を停止させるこ
とができる。
【発明の効果】
【００１５】
以上のように本発明によれば、電話機の着信信号を検出する着信検出手段と、この着信
検出手段により着信信号を検出したとき前記ＡＶ機器に対して音声ミュート処理を行う音
声ミュート処理手段と、前記着信検出手段により着信信号を検出したとき電話がかかって
いることを知らせるメッセージをスーパーインポーズで前記ＡＶ機器の表示部に表示させ
るスーパーインポーズ処理手段と、前記電話機がオフフック状態であるか否かを判定する
オフフック検出手段と、このオフフック検出手段により前記オフフック状態であることを
検出して且つプレイキーが押下されていないとき前記ＡＶ機器をプレイポーズ処理するプ
レイポーズ処理手段とを備えたので、電話回線に接続されている一般の電話機に着信があ
ったときに、ＡＶ機器に対してメッセージとして着信を告知することができると共に、Ａ
Ｖ機器の音声をミュートすることができ、また、電話中はＡＶ機器を停止させることがで
きる。したがって、ＡＶ機器により映画などを大音量で視聴中でも表示部の画面上の表示
で電話の着信が確認できると共に、音声をミュートすることができるので、電話が聞き取
り易くなり、また、その後の操作も簡単にリモコンで操作することが可能になる。また、
電話中はＡＶ機器を停止させるので、電話が終わってから続きを視聴することができ、ユ
ーザにとっては使い勝手が良くなる。
【００１６】
また、本発明によれば、電話機の着信信号を検出したときＡＶ機器に対して音声ミュー
ト処理を行うと共に、電話がかかっていることを知らせるメッセージをスーパーインポー
ズでＡＶ機器の表示部に表示させ、電話機がオフフック状態になったときＡＶ機器をプレ
イポーズ処理を行う電話処理部を備えたので、電話回線に接続されている一般の電話機に
着信があったときに、ＡＶ機器に対してメッセージとして着信を告知することができると
共に、ＡＶ機器の音声をミュートすることができ、また、電話中はＡＶ機器を停止させる
ことができる。したがって、ＡＶ機器により映画などを大音量で視聴中でも表示部の画面
上の表示で電話の着信が確認できると共に、音声をミュートすることができるので、電話
が聞き取り易くなり、また、その後の操作も簡単にリモコンで操作することが可能になる
。また、電話中はＡＶ機器を停止させるので、電話が終わってから続きを視聴することが
でき、ユーザにとっては使い勝手が良くなる。
【発明を実施するための最良の形態】
【００１７】
以下、添付図面を参照しつつ、本発明の実施の形態について説明する。図１は本発明の
一実施形態に係る電話対応制御装置を含むＡＶ機器の構成を示すブロック図である。
【００１８】
このＡＶ機器８は、大略的に、電話対応制御装置３とビデオ処理回路５とオーディオ処
理回路６とＴＶモニター７とを備えている。電話対応制御装置３は、図示しないモジュラ
ーポート（ジャック）を有し、電話機２が接続されている電話回線１に接続されている。
なお、ここでは、ＴＶモニター７を含めてＡＶ機器８を示しているが、ＡＶ機器８はＴＶ
モニター７を含めない構成であっても良い。
【００１９】
電話対応制御装置３は電話処理部４を有し、この電話処理部４は、電話機２の着信信号
を検出する着信検出手段４１と、この着信検出手段４１により着信信号を検出したときオ
ーディオ処理回路６に対して音声ミュート処理を行う音声ミュート処理手段４２と、着信
検出手段４１により着信信号を検出したとき電話がかかっていることを知らせるメッセー
ジをスーパーインポーズでＴＶモニター７の表示部７１に表示させるスーパーインポーズ
処理手段４３と、電話機２がオフフック状態であるか否かを判定するオフフック検出手段
４４と、このオフフック検出手段４４により前記オフフック状態であることを検出して且
つプレイキーが押下されていないときＡＶ機器８をプレイポーズ処理するプレイポーズ処
理手段４５とを備えている。
【００２０】
図２は本実施形態における電話対応制御装置３の動作を説明するためのフローチャート
である。このフローチャートを参照して電話対応制御装置３の動作を説明する。
【００２１】
電話回線１に接続されている電話機２に着信音が有ると（ステップＳ１）、その着信音
の信号（以下着信信号という）が電話回線１を介して電話対応制御装置３に入力されると
、電話処理部４の着信検出手段４１により前記着信信号が検出される。前記着信信号が検
出されたとき、オーディオ処理回路６に対して音声ミュート処理が音声ミュート処理手段
４２により行われる（ステップＳ２）と共に、電話がかかっていることを知らせるメッセ
ージがスーパーインポーズでスーパーインポーズ処理手段４３によりＴＶモニター７の表
示部７１に表示される（ステップＳ３）。
【００２２】
電話機２に着信音が有り、ユーザが電話機２の送受話器２１を取り、電話に出た場合は
、オフフック状態になるので、このオフフック状態がオフフック検出手段４４により検出
される（ステップＳ４）。オフフック状態が検出されると、プレイキー押し処理がされて
いるか否かが判定され（ステップＳ５）、プレイキー押し処理がされていない場合、プレ
イポーズ処理手段４５によりプレイポーズ処理が行われる（ステップＳ６）。このプレイ
ポーズ処理により、再生音声は停止することは勿論、再生画像はポーズ状態になり静止画
としてＴＶモニター７の表示部７１に表示される。
【００２３】
即ち、プレイポーズ処理手段４５は、オーディオ処理回路６がオーディオ信号を出力し
ないようにオーディオ処理回路６に対して処理を行い、また、ビデオ処理回路５が静止画
のビデオ信号を出力するようにビデオ処理回路５に対して処理を行う。このようなプレイ
ポーズ処理により、ＴＶモニター７の図示しないスピーカから出力される再生音声は停止
されると共に、ＴＶモニター７の表示部７１に表示される再生画像は静止画の状態で表示
されることになる。
【００２４】
なお、電話が終わり、送受話器２１を電話機２に置くと、オフフック状態からオンフッ
ク状態になって、ユーザのキー操作によってプレイポーズ処理が解除されると、静止画の
状態から通常の再生画像に移る。
【００２５】
以上説明したように本実施形態によれば、電話機２に着信音が有った場合に、ＴＶモニ
ター７から出力される音声をミュートすることにより、ユーザは着信音を確実に聞くこと
ができるようになり、電話を逃がすようなことがなくなる。相手の電話音声が小さい場合
でも、相手の話し声を聞き取ることが可能になる。また、電話機２に着信音が有った場合
に、ＴＶモニター７の表示部７１に、電話がかかっていることを知らせるメッセージをス
ーパーインポーズで表示することにより、ユーザが表示部７１を見ている状態でも電話が
かかってきたことに気付くことができる。更に、ＡＶ機器８がＤＶＤプレイヤなどの再生
モードであった場合、電話がかかってきて電話を取ったときに、プレイポーズ処理を行う
ので、電話中に再生画像が流れることがなくなり、電話が終わった後、続きから再生画像
を見ることができ、ユーザにとっては使い勝手が良いものとなる。
【図面の簡単な説明】
【００２６】
【図１】本発明の一実施形態に係る電話対応制御装置を含むＡＶ機器の構成を示すブロック図である。
【図２】前記実施形態における電話対応制御装置の動作を説明するためのフローチャートである。
【符号の説明】
【００２７】
１    電話回線
２    電話機
３    電話対応制御装置
４    電話処理部
８    ＡＶ機器
４１    着信検出手段
４２    音声ミュート処理手段
４３    スーパーインポーズ処理手段
４４    オフフック検出手段
４５    プレイポーズ処理手段
７１    表示部
【図１】
2006067023.tif 000003
【図２】
2006067023.tif 000004